(57)【特許請求の範囲】
【請求項１】
ワイヤレス通信において第１の無線アクセス技術（ＲＡＴ）から第２のＲＡＴへのトランスファーに関する完了メッセージを送った後の、測定レポートメッセージを報告するための時間を短縮するための方法であって、
第１のＲＡＴを監視すること、
第２のＲＡＴ上の通知を受信すること、
前記通知に基づく前記第１のＲＡＴから前記第２のＲＡＴへのトランスファーに先立って、
前記第１のＲＡＴを介して前記第２のＲＡＴに関する近隣情報を受信すること、
前記近隣情報に基づいて環境を探索すること、
前記近隣情報に基づいて第１の近隣リストを生成すること、
前記第１のＲＡＴから前記第２のＲＡＴへの前記トランスファーを実行すること、および
前記トランスファーの後に、
前記第２のＲＡＴを介して第２の近隣リストを受信すること、
前記第１の近隣リストを前記第２の近隣リストと比較し、アクティブ近隣リストを決定すること、および
前記決定されたアクティブ近隣リストに基づいて前記測定レポートメッセージを構成すること、
を備える方法。
【請求項２】
前記トランスファーに先立って、前記第１の近隣リストの中の前記近隣情報を報告する準備をすることをさらに備える請求項１に記載の方法。
【請求項３】
前記近隣情報は、前記第１のＲＡＴからのブロードキャストされた情報として受信される請求項１に記載の方法。
【請求項４】
前記近隣情報が受信される前記ブロードキャストされた情報は、システム情報ブロック８（ＳＩＢ８）再選択パラメータを含む請求項３に記載の方法。
【請求項５】
前記アクティブ近隣リストは、少なくとも前記第１の近隣リストから、前記第２の近隣リストに含まれない近隣を取り除くことに基づいて決定される、請求項１に記載の方法。
【請求項６】
前記近隣情報は、前記トランスファーに先立って前記第１の無線アクセス技術を介してトンネリングされる前記第２のＲＡＴからの近隣リストを含む請求項１に記載の方法。
【請求項７】
前記近隣リストは、ハンドオフメッセージと一緒に送られる請求項６に記載の方法。
【請求項８】
前記トランスファーに先立って、前記近隣リストに基づいて環境を探索すること、および
前記トランスファーに先立って、前記近隣リストの中の前記近隣情報を報告する準備をすることをさらに備える請求項６に記載の方法。
【請求項９】
前記第１のＲＡＴは、ロングタームエボリューション（ＬＴＥ）であり、前記第２のＲＡＴは、１ｘである請求項１に記載の方法。
【請求項１０】
トランスファー完了の後に、前記第２のＲＡＴに前記測定レポートメッセージを送ることをさらに備える方法であって、
前記近隣情報は、前記第１のＲＡＴを介して測定され、さらに前記トランスファーは、ソフトハンドオフステータスをもたらす前記近隣情報の高速近隣スキャンに基づくｘ方向ソフトハンドオフを含み、ｘは、１以上の整数を備える請求項１に記載の方法。
【請求項１１】
ワイヤレス通信において第１の無線アクセス技術（ＲＡＴ）から第２のＲＡＴへのトランスファーに関する完了メッセージを送った後の、測定レポートメッセージを送るための時間を短縮するように構成された少なくとも１つのプロセッサであって、前記プロセッサは、
第１のＲＡＴを監視し、
第２のＲＡＴに関する通知を受信し、
前記通知に基づく前記第１のＲＡＴから前記第２のＲＡＴへのトランスファーに先立って、
前記第１のＲＡＴを介して前記第２のＲＡＴに関する近隣情報を受信し、
前記近隣情報にもとづいて環境を探索し、
前記近隣情報に基づいて第１の近隣リストを生成し、
前記第１のＲＡＴから前記第２のＲＡＴへの前記トランスファーを実行し、
前記トランスファーの後で、
前記第２のＲＡＴを介して第２の近隣リストを受信し、
前記第１の近隣リストを前記第２の近隣リストと比較し、アクティブ近隣リストを決定し、
前記決定されたアクティブ近隣リストに基づいて前記測定レポートメッセージを構成する、
ように構成された１つまたは複数のモジュール、
とを備えるプロセッサ。
【請求項１２】
ワイヤレス通信において第１の無線アクセス技術（ＲＡＴ）から第２のＲＡＴへのトランスファーに関する完了メッセージを送った後の、測定レポートメッセージを送るための時間を短縮するための非一時的コンピュータ可読媒体であって、
コンピュータに、
第１のＲＡＴを監視させ、
第２のＲＡＴに関する通知を受信させ、
前記第１のＲＡＴから前記第２のＲＡＴへのトランスファーに先立って、
前記第１のＲＡＴを介して前記第２のＲＡＴに関する近隣情報を受信させ、
前記近隣情報に基づいて環境を探索させ、
前記近隣情報に基づいて第１の近隣リストを生成させ、
前記第１のＲＡＴから前記第２のＲＡＴへの前記トランスファーを実行させ、
前記トランスファーの後で、
前記第２のＲＡＴを介して第２の近隣リストを受信させ、
前記第１の近隣リストを前記第２の近隣リストを比較させ、アクティブ近隣リストを決定させ、
前記決定されたアクティブ近隣リストに基づいて前記測定レポートメッセージを構成させる
ためのコードを備える非一時的コンピュータ可読媒体。
【請求項１３】
ワイヤレス通信において第１の無線アクセス技術（ＲＡＴ）から第２のＲＡＴへのトランスファーに関する完了メッセージを送った後の、測定レポートメッセージを送るための時間を短縮するための装置であって、
第１のＲＡＴを監視するための手段と、
第２のＲＡＴ上の通知を受信するための手段と、
前記通知に基づいて、前記第１のＲＡＴから前記第２のＲＡＴへの前記トランスファーの前に、前記第１のＲＡＴを介して前記第２のＲＡＴに関する近隣情報を受信するための手段と、
前記近隣情報に基づいて環境を探索する手段と、
前記近隣情報に基づいて第１の近隣リストを生成するための手段と、
前記第１のＲＡＴから前記第２のＲＡＴへの前記トランスファーを実行する手段と、
前記トランスファーの後で前記第２のＲＡＴを介して第２の近隣リストを受信するための手段と、
前記第１の近隣リストを前記第２の近隣リストと比較し、アクティブ近隣リストを決定するための手段と、
前記決定されたアクティブ近隣リストに基づいて前記測定レポートメッセージを構成するための手段と、
を実行するための手段とを備える装置。
【請求項１４】
ワイヤレス通信において第１の無線アクセス技術（ＲＡＴ）から第２のＲＡＴへのトランスファーに関する完了メッセージを送った後の、測定レポートメッセージを送るための時間を短縮するための装置であって、
第１のＲＡＴを監視するように構成された監視構成要素と、
第２のＲＡＴ上の通知を受信し、
前記通知に基づく前記第１のＲＡＴから前記第２のＲＡＴへのトランスファーに先立って、
前記第１のＲＡＴを介して前記第２のＲＡＴに関する近隣情報を受信するように構成された受信機と、
前記近隣情報に基づいて環境を探索し、
前記近隣情報に基づいて第１の近隣リストを生成し、
前記第１のＲＡＴから前記第２のＲＡＴへの前記トランスファーを実行し、
前記トランスファーの後で、
前記第２のＲＡＴを介して第２の近隣リストを受信し、
前記第１の近隣リストを前記第２の近隣リストと比較し、アクティブ近隣リストを決定し、
前記決定されたアクティブ近隣リストに基づいて前記測定レポートメッセージを構成するように構成されたプロセッサとを備える装置。
【請求項１５】
前記プロセッサは、前記トランスファーに先立って、前記第１の近隣リストの中の前記近隣情報を報告する準備をするようにさらに構成される請求項１４に記載の装置。
【請求項１６】
前記近隣情報は、前記第１のＲＡＴからのブロードキャストされた情報として受信される請求項１４に記載の装置。
【請求項１７】
前記近隣情報が受信される前記ブロードキャストされた情報は、システム情報ブロック８（ＳＩＢ８）再選択パラメータを含む請求項１６に記載の装置。
【請求項１８】
前記プロセッサは、少なくとも前記第１の近隣リストから、前記第２の近隣リストに含まれない近隣を取り除くことに基づいて前記アクティブ近隣リストを決定するようにさらに構成される請求項１４に記載の装置。
【請求項１９】
前記近隣情報は、前記トランスファーに先立って前記第１の無線アクセス技術を介してトンネリングされる前記第２のＲＡＴからの近隣リストを含む請求項１４に記載の装置。
【請求項２０】
前記近隣リストは、ハンドオフメッセージと一緒に送られる請求項１９に記載の装置。
【請求項２１】
前記プロセッサは、前記トランスファーに先立って、前記近隣リストに基づいて環境を探索し、さらに前記トランスファーに先立って、前記近隣リストの中の前記近隣情報を報告する準備をするようにさらに構成された請求項１９に記載の装置。
【請求項２２】
前記第１の無線アクセス技術は、ロングタームエボリューション（ＬＴＥ）であり、前記第２のＲＡＴは、１ｘである請求項１４に記載の装置。
【請求項２３】
トランスファー完了の後、前記第２のＲＡＴに前記測定レポートメッセージを送るように構成された送信機をさらに備える装置であって、
隣接セル情報は、前記第１のＲＡＴを介して測定され、さらに前記トランスファーは、ソフトハンドオフステータスをもたらす前記隣接セル情報の高速近隣スキャンに基づくｘ方向ソフトハンドオフを含み、ｘは、１以上の整数を備える請求項１４に記載の装置。
【発明の詳細な説明】
【技術分野】
【０００１】
（米国特許法第１１９条の下における優先権の主張）
本出願は、本出願の譲受人に譲渡され、参照によりその全体が本明細書に明確に組み込まれている、２００９年７月１５日に出願された「Ａ  ＭＥＴＨＯＤ  ＴＯ  ＰＥＲＦＯＲＭ  ＦＡＳＴ  ＮＥＩＧＨＢＯＲ  ＬＩＳＴ  ＳＥＡＲＣＨ  ＤＵＲＩＮＧ  Ａ  ＨＡＮＤＯＦＦ  ＴＯ  ＤＩＦＦＥＲＥＮＴ  ＲＡＴ  ＴＡＲＧＥＴ  ＳＹＳＴＥＭ」という名称の米国仮出願第６１／２２５，６３０号の優先権を主張するものである。
【０００２】
本開示は、一般に、通信システムに関し、より詳細には、ワイヤレス通信において第１の無線アクセス技術（ＲＡＴ）と第２のＲＡＴの間のトランスファー中に完了メッセージを送った後の、パイロット強度測定メッセージ（ＰＳＭＭ）を送るための時間を短縮することに関する。
【背景技術】
【０００３】
ワイヤレス通信システムが、電話、ビデオ、データ、メッセージング、およびブロードキャストなどの様々な遠隔通信サービスを提供するように広く展開されている。通常のワイヤレス通信システムは、利用可能なシステムリソース（例えば、帯域幅、送信電力）を共有することによって、複数のユーザとの通信をサポートすることができる多元接続技術を使用することが可能である。そのような多元接続技術の例には、符号分割多元接続（ＣＤＭＡ）システム、時間分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。
【０００４】
これらの多元接続技術は、異なるワイヤレスデバイスが地方自治体レベル、国レベル、地域レベル、さらには地球規模のレベルで通信することを可能にする共通のプロトコルを提供するように様々な遠隔通信標準において採用されてきた。出現しつつある遠隔通信標準の例が、ロングタームエボリューション（ＬＴＥ）である。ＬＴＥは、第３世代パートナーシッププロジェクト（３ＧＰＰ）によって広められているユニバーサルモバイルテレコミュニケーションズシステム（ＵＭＴＳ）モバイル標準の拡張のセットである。ＬＴＥは、スペクトル効率を向上させることによってモバイルブロードバンドインターネットアクセスをより良くサポートし、費用を低減し、サービスを向上させ、新たなスペクトルを利用し、さらにダウンリンク（ＤＬ）でＯＦＤＭＡを使用し、アップリンク（ＵＬ）でＳＣ−ＦＤＭＡを使用し、多入力多出力（ＭＩＭＯ）アンテナ技術を使用して、他のオープンな標準とより良く一体化するように設計されている。しかし、モバイルブロードバンドアクセスの需要が増え続けるなかで、ＬＴＥ技術におけるさらなる改良の必要性が存在する。好ましくは、これらの改良は、他の多元接続技術、ならびにこれらの技術を使用する遠隔通信標準にも適用可能であるべきである。
【０００５】
１ｘ回線交換フォールバック（１ｘＣＳＦＢ）が、ユーザ機器（ＵＥ）が発展型ＵＭＴＳ地上無線アクセスネットワーク（Ｅ−ＵＴＲＡＮ）上に滞留している間、１ｘ回線サービスをサポートする機構を提供する。ネイティブの１ｘにおいて、モバイルデバイスが１ｘアイドル状態にある間、近隣探索を含む状態探索が実行される。したがって、ＵＥは、選別された探索結果を含む、１ｘアイドル状態中に生成された近隣リストを用いてトラヒックに入る。このことは、ＵＥが、何を探索すべきかに優先順位を付ける開始点を有するため、トラヒックにおいてＵＥが実行する探索で有利にスタートすることを可能にする。ＵＥは、より良好な近隣パイロットをアクティブの近隣セットに迅速に移す、より高い可能性を有する。
【０００６】
しかし、拡張１ｘＣＳＦＢ（ｅ１ｘＣＳＦＢ）において、ユニバーサルハンドオフ指示メッセージ（ＵＨＤＭ）が、近隣なしにＥ−ＵＴＲＡＮから１ｘトラヒックに移るようＵＥに指示する。このことは、ＵＥに関する急速な呼ドロップの可能性を高める。１ｘ近隣リストが受信された後、ＵＥは、アルゴリズム的な方法で複数の測定を構築して、近隣リスト上で識別された近隣を報告すべきかどうかを判定するのにさらなる時間を要する。これらの測定は、ＵＥがＰＳＭＭを送り、近隣パイロットをアクティブの近隣セットの中に移すプロセスを開始する前に、構築され、行われなければならない。非常に動的な環境において、このさらなる遅延は、アクティブのセットの中に近隣が存在しないため、多数のドロップされた呼をもたらす可能性がある。
【０００７】
したがって、第１のＲＡＴから第２のＲＡＴへのトランスファー中の急速な呼ドロップの量を減らすための機構が必要とされる。
【発明の概要】
【０００８】
以下に、そのような態様の基本的な理解を提供するため、１つまたは複数の態様の簡略化された概要を提示する。この概要は、企図されるすべての態様の広範な概観ではなく、すべての態様の重要な要素または不可欠な要素を識別することも、いずれかの態様、またはすべての態様の範囲を線引きすることも意図していない。この概要の唯一の目的は、後段で提示される、より詳細な説明の前置きとして、１つまたは複数の態様のいくつかの概念を簡略化された形態で提示することである。
【０００９】
態様には、ワイヤレス通信において第１のＲＡＴから第２のＲＡＴへのトランスファーに関する完了メッセージを送った後の、測定レポートメッセージを報告するための時間を短縮するための方法が含まれ、この方法は、第１のＲＡＴを監視すること、第２のＲＡＴ上の通知を受信すること、この通知に基づく第１のＲＡＴから第２のＲＡＴへのトランスファーに先立って、第１のＲＡＴを介して第２のＲＡＴに関する近隣情報を受信すること、および第１のＲＡＴから第２のＲＡＴへのトランスファーを実行することを含む。
【００１０】
この方法は、トランスファーに先立って、近隣情報に基づいて環境を探索すること、近隣情報に基づいて近隣の第１の近隣リストを生成すること、およびトランスファーに先立って、第１の近隣リストの中の近隣を報告する準備をすることをさらに含むことが可能である。
【００１１】
この方法は、トランスファーの後、第２のＲＡＴを介して第２の近隣リストを受信すること、第１の近隣リストを第２の近隣リストと比較すること、および第１の近隣リストから、第２の近隣リストに含まれない近隣を取り除くことをさらに含むことが可能である。
【００１２】
この方法は、トランスファーに先立って、近隣リストに基づいて環境を探索すること、およびトランスファーに先立って、近隣リストの中の近隣を報告する準備をすることをさらに含むことが可能である。
【００１３】
近隣情報は、第１のＲＡＴからのブロードキャストされた情報として受信されることが可能である。近隣情報が受信されるブロードキャストされた情報は、システム情報ブロック８（ＳＩＢ８）再選択パラメータを含むことが可能である。近隣情報は、トランスファーに先立って、第１の無線アクセス技術を介してトンネリングされる第２のＲＡＴからの近隣リストを含むことが可能である。近隣リストは、ハンドオフメッセージと一緒に送られることが可能である。第１の無線アクセス技術は、ロングタームエボリューション（ＬＴＥ）であることが可能であり、第２のＲＡＴは、１ｘであることが可能である。
【００１４】
この方法は、隣接セル情報に基づいて、トランスファー完了の後、第２のＲＡＴに測定レポートメッセージを送ることをさらに含むことが可能であり、隣接セル情報は、第１のＲＡＴを介して測定され、さらにトランスファーは、ソフトハンドオフステータスをもたらす隣接セル情報の高速近隣スキャンに基づくｘ方向ソフトハンドオフを含み、ｘは、１以上の整数を備える。
【００１５】
態様には、ワイヤレス通信において第１のＲＡＴから第２のＲＡＴへのトランスファーに関する完了メッセージを送った後の、測定レポートメッセージを送るための時間を短縮するように構成された少なくとも１つのプロセッサが含まれ、このプロセッサは、第１のＲＡＴを監視するための第１のモジュールと、第２のＲＡＴ上の通知を受信するための第２のモジュールと、この通知に基づく第１のＲＡＴから第２のＲＡＴへのトランスファーに先立って、第１のＲＡＴを介して第２のＲＡＴに関する近隣情報を受信するための第３のモジュールと、第１のＲＡＴから第２のＲＡＴへのトランスファーを実行するための第４のモジュールとを含む。
【００１６】
態様には、ワイヤレス通信において第１のＲＡＴから第２のＲＡＴへのトランスファーに関する完了メッセージを送った後の、測定レポートメッセージを送るための時間を短縮するためのコンピュータプログラム製品がさらに含まれ、このコンピュータプログラム製品は、コンピュータに、第１のＲＡＴを監視させるためのコードの第１のセットと、コンピュータに、第２のＲＡＴ上の通知を受信させるためのコードの第２のセットと、この通知に基づく第１のＲＡＴから第２のＲＡＴへのトランスファーに先立って、コンピュータに、第１のＲＡＴを介して第２のＲＡＴに関する近隣情報を受信させるためのコードの第３のセットと、コンピュータに、第１のＲＡＴから第２のＲＡＴへのトランスファーを実行させるためのコードの第４のセットと含むコンピュータ可読媒体を備える。
【００１７】
態様には、ワイヤレス通信において第１のＲＡＴから第２のＲＡＴへのトランスファーに関する完了メッセージを送った後の、測定レポートメッセージを送るための時間を短縮するための装置がさらに含まれ、この装置は、第１のＲＡＴを監視するための手段と、第２のＲＡＴ上の通知を受信するための手段と、この通知に基づく第１のＲＡＴから第２のＲＡＴへのトランスファーに先立って、第１のＲＡＴを介して第２のＲＡＴに関する近隣情報を受信するための手段と、第１のＲＡＴから第２のＲＡＴへのトランスファーを実行するための手段とを含む。
【００１８】
態様には、ワイヤレス通信において第１のＲＡＴから第２のＲＡＴへのトランスファーに関する完了メッセージを送った後の、測定レポートメッセージを送るための時間を短縮するための装置がさらに含まれ、この装置は、第１のＲＡＴを監視するように構成された監視構成要素と、第２のＲＡＴ上の通知を受信し、この通知に基づく第１のＲＡＴから第２のＲＡＴへのトランスファーに先立って、第１のＲＡＴを介して第２のＲＡＴに関する近隣情報を受信するように構成された受信機と、第１のＲＡＴから第２のＲＡＴにトランスファーするように構成されたプロセッサとを含む。
【００１９】
近隣情報は、第１のＲＡＴからのブロードキャストされた情報として受信されることが可能である。近隣情報が受信されるブロードキャストされた情報は、システム情報ブロック８（ＳＩＢ８）再選択パラメータを含むことが可能である。近隣情報は、トランスファーに先立って、第１の無線アクセス技術を介してトンネリングされる第２のＲＡＴからの近隣リストを含むことが可能である。近隣リストは、ハンドオフメッセージと一緒に送られることが可能である。第１の無線アクセス技術は、ロングタームエボリューション（ＬＴＥ）であることが可能であり、第２のＲＡＴは、１ｘであることが可能である。
【００２０】
プロセッサは、近隣情報に基づいて環境を探索し、トランスファーに先立って、近隣情報に基づいて近隣の第１の近隣リストを生成し、さらにトランスファーに先立って、第１の近隣リストの中の近隣を報告する準備をするようにさらに構成されることが可能である。
【００２１】
受信機は、トランスファーの後、第２のＲＡＴを介して第２の近隣リストを受信するようにさらに構成されることが可能であり、さらにプロセッサは、第１の近隣リストを第２の近隣リストと比較し、さらに第１の近隣リストから、第２の近隣リストに含まれない近隣を取り除くようにさらに構成される。
【００２２】
プロセッサは、トランスファーに先立って、近隣リストに基づいて環境を探索し、さらにトランスファーに先立って、近隣リストの中の近隣を報告する準備をするようにさらに構成されることが可能である。
【００２３】
装置は、隣接セル情報に基づいて、トランスファー完了の後、第２のＲＡＴに測定レポートメッセージを送るように構成された送信機をさらに含むことが可能であり、隣接セル情報は、第１のＲＡＴを介して測定され、さらにトランスファーは、ソフトハンドオフステータスをもたらす隣接セル情報の高速近隣スキャンに基づくｘ方向ソフトハンドオフを含み、ｘは、１以上の整数を備える。
【００２４】
上記の目的および関連する目的を実現するため、この１つまたは複数の態様は、後段で完全に説明され、特許請求の範囲において特に指摘される特徴を備える。以下の説明、および添付の図面は、この１つまたは複数の態様のいくつかの例示的な特徴を詳細に示す。しかし、これらの特徴は、様々な態様の原理が使用され得る様々な方法のいくつかを示すに過ぎず、この説明は、すべてのそのような態様、および均等の態様を含むことを意図している。
【００２５】
開示される態様は、開示される態様を限定するようにではなく、例示するように与えられる、添付の図面に関連して説明され、同様の符号は、同様の要素を表す。
【図面の簡単な説明】
【００２６】
【図１】第１のＲＡＴ、および第２のＲＡＴの例示的な態様を示す図。
【図２】第１のＲＡＴから第２のＲＡＴへのトランスファーに関する流れ図。
【図３】第１のＲＡＴから第２のＲＡＴへのトランスファーに先立って近隣リスト情報を受信することに関する流れ図。
【図４】ワイヤレス通信の方法を示す流れ図。
【図５】ワイヤレス通信のためのコンピュータデバイスの態様を示す図。
【図６】例示的な装置の機能を示す概念ブロック図。
【図７】例示的なネットワークアーキテクチャを示す図。
【図８】アクセスネットワークの例を示す図。
【図９】処理システムを使用する装置に関するハードウェア実施形態の例を示す図。
【図１０】アクセスネットワークにおける発展型ノードＢおよびユーザ機器の例を示す図。
【図１１】１ｘＲＴＴへのＣＳフォールバックに関する流れ図。
【図１２】事前登録に関する流れ図。
【発明を実施するための形態】
【００２７】
次に、様々な態様が、図面を参照して説明される。以下の説明において、説明の目的で、１つまたは複数の態様の徹底的な理解をもたらすために多数の特定の詳細が示される。そのような態様は、これらの特定の詳細なしに実施され得ることが明白であり得る。
【００２８】
急速な呼ドロップは、ワイヤレス通信において第１の無線アクセス技術（ＲＡＴ）から第２のＲＡＴにトランスファーに関する完了メッセージを送った後の、パイロット強度測定メッセージ（ＰＳＭＭ）を送るための時間を短縮することによって、減らされることが可能である。この時間短縮は、第１のＲＡＴを介して第２のＲＡＴ上の呼の通知が受信されると、第１のＲＡＴから第２のＲＡＴへのトランスファーに先立って、第１のＲＡＴを介して第２のＲＡＴに関する近隣情報を受信することによって達せられることが可能である。
【００２９】
例えば、１つまたは複数の態様において、この近隣情報は、第１のＲＡＴを介して、ＳＩＢ８再選択パラメータとして、またはトンネリングされた近隣リストとして受信されることが可能である。第１のＲＡＴは、例えば、ＬＴＥであることが可能であり、第２のＲＡＴは、１ｘであることが可能である。１ｘへのトランスファーに先立って、ＬＴＥを介して１ｘ近隣情報を受信することによって、説明される装置および方法は、ユーザ機器が、近隣情報に基づいて環境探索を実行すること、および、オプションとして、その探索において識別された近隣を報告するのに要求されるステップを実行することを可能にする。これらのステップは、近隣リストの生成、ならびにその近隣リスト上の近隣を報告すべきかどうかを判定するために、環境探索に基づいて選別アルゴリズムを構築することを、すべて、１ｘへのトランスファーが行われるのに先立って、含むことが可能である。
【００３０】
次に、遠隔通信システムのいくつかの態様が、様々な装置および方法を参照して提示される。これらの装置および方法は、様々なブロック、モジュール、構成要素、回路、ステップ、プロセス、アルゴリズムなど（ひとまとめにして「要素」と呼ばれる）によって、以下の詳細な説明において説明され、添付の図面において例示される。これらの要素は、電子ハードウェア、コンピュータソフトウェア、または電子ハードウェアとコンピュータソフトウェアの任意の組合せを使用して実施されることが可能である。そのような要素がハードウェアとして実施されるか、ソフトウェアとして実施されるかは、全体的なシステムに課せられる特定のアプリケーション上、および設計上の制約に依存する。
【００３１】
例として、要素、または要素の任意の部分、または要素の任意の組合せは、１つまたは複数のプロセッサを含む「処理システム」を使用して実施されることが可能である。プロセッサの例には、マイクロプロセッサ、マイクロコントローラ、ディジタルシグナルプロセッサ（ＤＳＰ）、フィールドプログラマブルゲートアレイ（ＦＰＧＡ）、プログラマブル論理デバイス（ＰＬＤ）、状態マシン、ゲートロジック、ディスクリートのハードウェア回路、ならびに本開示全体にわたって説明される様々な機能を実行するように構成された他の適切なハードウェアが含まれる。処理システムにおける１つまたは複数のプロセッサが、ソフトウェアを実行することが可能である。ソフトウェアは、ソフトウェア、ファームウェア、ミドルウェア、マイクロコード、またはハードウェア記述言語と呼ばれるか、あるいはそれ以外の呼び方をされるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行のスレッド、手順、機能などを意味するように広く解釈されるべきである。ソフトウェアは、コンピュータ可読媒体上に存在することが可能である。コンピュータ可読媒体には、例として、磁気ストレージデバイス（例えば、ハードディスク、フロッピー（登録商標）ディスク、磁気ストリップ）、光ディスク（例えば、コンパクトディスク（ＣＤ）、ディジタルバーサタイルディスク（ＤＶＤ））、スマートカード、フラッシュメモリデバイス（例えば、カード、スティック、キードライブ）、ランダムアクセスメモリ（ＲＡＭ）、読み取り専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブルディスク、搬送波、伝送線、ならびにソフトウェアを格納するため、または伝送するための他の任意の適切な媒体が含まれることが可能である。コンピュータ可読媒体は、処理システム内に存在すること、処理システムの外部に存在すること、あるいは処理システムを含む複数のエンティティにわたって分散されることが可能である。コンピュータ可読媒体は、コンピュータプログラム製品として実体化されることが可能である。例として、コンピュータプログラム製品は、パッケージング材料におけるコンピュータ可読媒体を含むことが可能である。特定のアプリケーション、ならびに全体的なシステムに課せられる全体的な設計上の制約に依存して、本開示全体にわたって提示される、説明される機能をどのように実施するのが最良であるかが、当業者には認識されよう。
【００３２】
図１は、第２のＲＡＴ１４０と重なり合うカバレッジを有する第１のＲＡＴ１２０を示す。ＵＥ１１０は、第１のＲＡＴと第２のＲＡＴの両方を介して通信することができる可能性がある。或る態様において、第１のＲＡＴは、第２のＲＡＴよりもより効率的な方法で電力や帯域幅などの、いくつかのリソースを節約することが可能である。したがって、ＵＥ１１０は、アクティブ状態であるか、アイドル状態であるかにかかわらず、第２のＲＡＴを介して通信する必要性が生じるまで、第１のＲＡＴを使用して通信状態のままであることが可能である。例えば、第１のＲＡＴは、ＬＴＥ  Ｅ−ＵＴＲＡＮであることが可能であり、第２のＲＡＴは、１ｘであることが可能である。ＬＴＥ  ＲＡＴは、移動性管理エンティティ（ＭＭＥ）１６０に接続されることが可能である。１ｘＲＡＴは、移動交換局（ＭＳＣ）１７０に接続されることが可能である。相互動作ソリューション（ＩＷＳ）１８０が、Ｅ−ＵＴＲＡＮ１２０のＭＭＥ１６０を１ｘＲＡＴ１４０のＭＳＣ１７０に結び付ける役割をすることが可能である。
【００３３】
ＵＥが第１のＲＡＴと第２のＲＡＴの両方を同時に監視するのに、さらなる電力が要求される。さらに、ＬＴＥにおけるアイドル状態は、電力使用量がより少ない。したがって、ＵＥ１１０は、１ｘを介してＵＥ向けの呼が受信されるまで、ＬＴＥを使用してアクティブ状態のままであっても、アイドル状態のままであってもよい。
【００３４】
ネイティブの１ｘにおいて、モバイルデバイスがアイドル状態にある間、近隣探索を含む状態探索が実行される。したがって、ＵＥは、選別された探索結果を含む、アイドル状態中に生成された近隣リストを用いてトラヒックに入る。このことは、ＵＥが、アクティブ状態への遷移が行われると、何を探索すべきかに優先順位を付ける開始点を有するため、トラヒックにおいてＵＥが実行する探索で有利にスタートすることを可能にする。このため、ＵＥは、望ましい近隣パイロットをアクティブのセットに迅速に移す、より高い可能性を有する。
【００３５】
しかし、１ｘ近隣が、ＬＴＥを介して探索され、監視されることはない。したがって、ｅ１ｘＣＳＦＢ（回線交換フォールバック）において、１ｘ呼が受信されると、ユニバーサルハンドオフ指示メッセージ（ＵＨＤＭ）が、近隣なしにＬＴＥから１ｘトラヒックに移るようＵＥに指示する。このことは、ＵＥに関する急速な呼ドロップの可能性を高める。１ｘを介して近隣リストが受信された後、ＵＥは、アルゴリズム的な方法で必要な複数の測定を構築して、近隣リスト上で識別された近隣を報告すべきかどうかを判定するのにさらなる時間を要する。これらの測定は、ＵＥがＰＳＭＭを送り、パイロットをアクティブのセットの中に移すプロセスを開始する前に、構築され、行われなければならない。
【００３６】
アクティブの近隣リストを構築するため、ＵＥは、近隣リストを要求する１ｘメッセージを送る。ＵＥは、近隣リストが戻されるのを待つ。次に、ＵＥは、近隣情報に基づいて環境を探索する。このことは、例えば、高速近隣スキャンを実行することを含むことが可能である。ＵＥは、近隣リストからのいくつかの近隣を報告すべきかどうかを判定するために、測定を行い、さらに複数の測定をアルゴリズム的な方法で組み合わせなければならない。ＵＥが、いずれの近隣を報告すべきかを決定すると、ＵＥは、ＰＳＭＭなどの測定レポートメッセージを送信する。返信メッセージが受信されると、ＵＥは、示された近隣をアクティブの近隣リストに追加することができる。ＵＥは、ＰＳＭＭの中で識別されるべき近隣が実際の近隣であるという通知をＵＥが１ｘから受信しているのでない限り、１ｘを介してＰＳＭＭを送ることができない。このため、現行では、ＵＥは、１ｘトラヒックに移った後、ＵＥが、アクティブの近隣リストを備えて、呼接続を維持する準備が本当にできるまでに、いくつかのさらなるステップを要する。
【００３７】
非常に動的な環境において、このさらなる遅延は、アクティブのセットの中に近隣が存在しないため、多数のドロップされた呼をもたらす可能性がある。急速な呼ドロップは、呼が確立されたすぐ後に、呼がドロップされる、または確立された接続が、要求される量を下回って低下する状況である。
【００３８】
第１のＲＡＴから第２のＲＡＴへのトランスファー中の急速な呼ドロップの量は、トランスファーに関する完了メッセージを送った後の、測定レポートメッセージ、例えば、ＰＳＭＭを送るための時間を短縮することによって、低減されることが可能である。このことは、第１のＲＡＴから第２のＲＡＴへのトランスファーに先立って、ＵＥが第１のＲＡＴを介して第２のＲＡＴに関する近隣情報の通知を受信することによって、達せられることが可能である。次に、ＵＥが、近隣情報に基づいて環境を探索することが可能であり、さらに第２のＲＡＴに関する近隣の近隣リストを生成することが可能である。また、ＵＥは、トランスファーに先立って、測定を行い、さらに近隣リストの中の近隣を報告するのに要求されるステップを実行するプロセスを開始することも可能である。このことは、近隣リスト上の近隣を報告すべきかどうかを判定するためのアルゴリズムを構築することを含むことが可能である。
【００３９】
例えば、或る態様において、近隣情報を受信する１つの方法は、第１のＲＡＴからのブロードキャストされる情報を介してである。この情報は、第２のＲＡＴに関するシステム情報ブロック（ＳＩＢ８）再選択パラメータなどのオーバーヘッド情報を含むことが可能である。１ｘに関するＳＩＢ８再選択パラメータがＬＴＥに供給される。この情報は、ＬＴＥを介してＵＥにさらに通信され得る。ＳＩＢ８再選択パラメータは、近隣リストの中で１ｘが送るのと同一の情報は供給しない可能性があるものの、近隣リストを生成し、近隣情報に基づいて環境を探索することを開始し、さらに複数の測定をアルゴリズム的な方法で組み合わせて、近隣を報告すべきかどうかを判定することを開始するのに十分な情報をＵＥに供給する。第２のＲＡＴ、例えば、１ｘへのトランスファーが達せられると、ＵＥは、第２のＲＡＴを介して第２の近隣リストを受信することが可能である。この時点で、ＵＥは、ＳＩＢ８再選択パラメータに基づく、生成された近隣リストを、第２のＲＡＴからの近隣リストと比較して、正しい近隣を検証することができる。次に、ＵＥは、ＵＥが第２のＲＡＴから受信する実際の近隣リストと合致しない近隣または情報を、生成された近隣リストからドロップすることができる。
【００４０】
さらに、例えば、別の態様において、ＵＥが、第１のＲＡＴを介して第２のＲＡＴに関する近隣リスト情報を受信する別の方法は、トランスファーに先立って第１のＲＡＴを介してＵＥにトンネリングされる、第２のＲＡＴからの実際の近隣リストを受信することである。例えば、１ｘ近隣リストが、ＵＨＤＭなどのハンドオフメッセージを使用して、ＬＴＥを介してＵＥにトンネリングされることが可能である。近隣リストがＵＥによって受信されると、ＵＥは、近隣リストに基づいて環境を探索することができ、さらにＬＴＥから１ｘへのトランスファーに先立って、近隣リストの近隣を報告すべきかどうかを判定するためのアルゴリズムを構築することが可能である。
【００４１】
したがって、ＵＥが１ｘにおけるトラヒックに移る際、ＵＥは、近隣リスト情報を用いて、そのように行う。ＵＥが、トランスファーに先立って、近隣情報を受信しない場合、ＵＥが、トラヒックに入っている間に、第１に、近隣リストを受信し、第２に、アクティブの近隣リストを構築するのに必要な測定を行うことを開始するのに、相当な時間が要求される。
【００４２】
第２のＲＡＴへのトランスファーに先立って、第１のＲＡＴを介して近隣情報を受信することによって、ＵＥは、トランスファーに先立って、環境を探索し、さらに必要な測定を組み合わせて、いくつかの近隣を報告すべきかどうかを判定するプロセスを開始することができる。トランスファーが行われ、第２のＲＡＴを介して実際の近隣リストが受信されると、ＵＥは、ＰＳＭＭなどの測定レポートメッセージを、より短い時間で送ることができる。したがって、説明される装置および方法は、アクティブの近隣リストが、より短い時間で準備されることを可能にして、急速な呼ドロップの可能性を低減する。
【００４３】
図２は、第１のＲＡＴから第２のＲＡＴへのトランスファーの態様を示す流れ図である。図２で、第１のＲＡＴは、ＬＴＥであり、第２のＲＡＴは、１ｘである。ＵＥ２１、発展型ノードＢ（ｅＮＢ）２２、ＭＭＥ２３、ＩＷＳ  １ｘ基地局コントローラ（１ｘＢＳＣ）２４、ＭＳＣ２５が、マルチＲＡＴシステムに含まれる。２０１で、ＵＥ２１向けの着信する呼を通知するページ要求が、ＭＳＣ２５からＩＷＳ／１ｘＢＳＣに通信される。２０２で、汎用ページメッセージが、汎用回線サービス通知アプリケーション（ＧＣＳＮＡ）の中にカプセル化され、ＩＷＳ  １ｘＢＳＣ２４からＭＭＥ２３に通信される。次に、２０３で、ＭＭＥ２３からＵＥにサービス要求が送られる。２０４で、第１のＲＡＴ（例えば、１ｘ）からのページが、第２のＲＡＴ（例えば、ＬＴＥ）を介してＵＥにトンネリングされる。このステップは、ステップ２０４ａおよび２０４ｂとして示される。２０５で、ＵＥからＭＭＥに拡張サービス要求（ＥＳＲ）が送られる。２０６で、ＭＭＥから、ＵＥと通信しているｅＮＢにコンテキスト変更（例えば、１ｘＣＳＦＢ）が通信される。このことが、ＬＴＥから１ｘへの変更を開始する。２０７で、ネットワークの指示で１ｘ測定が行われ、ＵＥとｅＮＢの間で通信される。２０８で、ｅＮＢからＵＥにＥ−ＵＴＲＡハンドオフ準備要求が送られる。２０９で、ハンドオフ準備転送情報が、ＵＥからｅＮＢに送られ（２０９ａ）、ｅＮＢからＭＭＥに送られ（２０９ｂ）、およびさらにＭＭＥからＩＷＳ／１ｘＢＳＣに送られる（２０９ｃ）。次に、２１０で、ＩＷＳ／１ｘＢＳＣからＭＳＣにページ応答が通信される。これに応答して、２１１で、ＭＳＣ２５が、割当て要求をＩＷＳ／１ｘＢＳＣに送信する。２１２で、ユニバーサルハンドオフメッセージが、第１のＲＡＴを介してＵＥにトンネリングされる。このハンドオフメッセージが、ＩＷＳからＭＭＥに通信され（２１２ａ）、ＭＭＥからｅＮＢに通信され（２１２ｂ）、さらにｅＮＢからＵＥに通信される（２１２ｃ）。２１３で、ＵＥが、第２のＲＡＴを介して、例えば、１ｘを介して、ＩＷＳ／１ｘＢＳＣに直接に拡張ハンドオフ完了メッセージを送る。このメッセージは、第２のＲＡＴへのトランスファーが完了したことを示す。２１４で、ＩＷＳが、命令メッセージを送信する。２１５で、ＩＷＳが、割当てが完了したことをＭＳＣに示す。２１６で、ＭＳＣが、例えば、発呼側の番号を示す情報メッセージを有するアラートを送信する。２１７で、ＭＳＣからのアラート情報が、１ｘを介して１ｘＢＳＣからＵＥに直接に通信される。２１８で、ＵＥが、ＩＷＳに肯定応答を送り、２１９で、ＵＥが、呼の存在をユーザに示す呼出し音を開始する。ユーザが呼に応答すると、２２０で、ＵＥからＩＷＳに接続命令メッセージが送られ、２２１で、ＭＳＣに対する接続が確立される。ステップ２２１で、呼は、アクティブである、またはトラヒックに入っている。ＵＥは、近隣リストを用いて、ＬＴＥから１ｘへ遷移しない。代わりに、ＵＥは、トラヒックに入っている間、近隣リストを生成するために情報を収集し、測定を行うことを開始しなければならない。
【００４４】
図３は、第２のＲＡＴ上の呼に応答するために第１のＲＡＴからのトランスファーを実行することに先立って、第１のＲＡＴを介して近隣リスト情報を獲得することに関する流れ図を示す。このことは、完了メッセージを送った後の、ＰＳＭＭを送るための時間を短縮し、第２のＲＡＴ上の呼に関する急速なドロップの量を減らす。
【００４５】
３０１で、第１のＲＡＴ、例えば、ＬＴＥのＭＭＥ５１４およびｅＮＢ３１２を介して、第２のＲＡＴ３１６、例えば、１ｘに関する近隣リスト情報が受信される。このことは、例えば、図２からの２０４で生じることが可能である。例えば、３０１で、１ｘ近隣リストが獲得される。この近隣リスト情報は、ＳＩＢ８再選択パラメータとして受信されることが可能であり、あるいはＩＷＳ３１６からＬＴＥネットワークを介してトンネリングされる１ｘ近隣リストであることが可能である。３０２で、ｅＮＢ３１２からＵＥ３１０への１ｘフォールバックに関するメッセージがトリガされる。３０３で、ＵＥ３１０が１ｘネットワークに同調する。３０４で、ＵＥが、近隣リストの中の近隣を報告するのに要求されるステップを実行するために、ステップ３０１で獲得された近隣情報に基づいて環境を探索する。これらのステップは、複数の測定をアルゴリズム的な方法で組み合わせて、近隣を選別し、さらに近隣を報告すべきかどうかを判定することを含むことが可能である。３０５で、トランスファー完了を第２のＲＡＴに通知する拡張ハンドオフ完了メッセージが、１ｘネットワークに直接に送られる。完了メッセージは、例えば、図２の２１３で送られる。したがって、ＵＥは、近隣に関する情報を既に受信しており、環境スキャンを実行し、近隣リストの中の近隣を報告するのに要求されるステップを実行することが可能になっている。前述したとおり、これらのステップは、完了メッセージより前に、潜在的な近隣を識別するのに必要な測定およびアルゴリズムを構築することを含むことが可能である。３０６で、環境の探索／スキャンに基づく測定結果を報告するパイロット強度測定メッセージが、ＵＥからＩＷＳに送られる。３０７で、１ｘ呼処理が後に続く。３０７は、３０６におけるＰＳＭＭに基づくｘ方向ソフトハンドオフを含むことが可能である。
【００４６】
図４は、ワイヤレス通信において第１のＲＡＴから第２のＲＡＴへのトランスファーに関する完了メッセージを送った後の、測定レポートメッセージを送るための時間を短縮するための方法の流れ図４００である。測定レポートメッセージは、例えば、ＰＳＭＭであることが可能である。この方法は、第１のＲＡＴを監視すること（４０２）、および第２のＲＡＴ上の通知を受信すること（４０４）を含む。この通知は、例えば、第２のＲＡＴからＵＥに向けられた着信する呼、データメッセージ、または他のアプリケーションであることが可能である。さらに、この方法は、通知に基づいて、第１のＲＡＴから第２のＲＡＴへのトランスファーに先立って、第１のＲＡＴを介して第２のＲＡＴに関する近隣情報を受信することを含む（４０６）。その後、この方法は、通知に基づいて、第１のＲＡＴから第２のＲＡＴへのトランスファーを実行することを含む（４０８）。その後、呼、データ、または他のアプリケーションは、第２のＲＡＴを介して受信されることが可能である。
【００４７】
この方法は、トランスファーに先立って、近隣情報に基づいて環境探索を実行すること、近隣情報に基づいて近隣の第１の近隣リストを生成すること、およびトランスファーに先立って、近隣リスト上の近隣を報告する準備をすることをさらに含むことが可能である。近隣リスト上の近隣を報告する準備をすることは、測定を実行すること、ならびに近隣リストからいずれの近隣を報告すべきかを識別するために、アルゴリズム的な方法でそのような測定を分析することを含むことが可能である。
【００４８】
近隣情報は、第１のＲＡＴからのブロードキャストされた情報として受信されることが可能である。近隣情報が受信されるブロードキャストされた情報は、ＳＩＢ８再選択パラメータを含むことが可能である。近隣情報がＳＩＢ８再選択パラメータとして受信される場合、この方法は、トランスファーの後、第２のＲＡＴを介して第２の近隣リストを受信すること、第１の近隣リストを第２の近隣リストと比較すること、および第２の近隣リストに含まれない近隣を第１の近隣リストからドロップすることをさらに含むことが可能である。
【００４９】
近隣情報は、トランスファーに先立って第１のＲＡＴを介してトンネリングされる第２のＲＡＴからの近隣リストを含むことが可能である。この近隣リストは、ＵＨＤＭなどのハンドオフメッセージと一緒に送られることが可能である。近隣リストが第１のＲＡＴを介してトンネリングされる場合、この方法は、トランスファーに先立って、近隣リストに基づいて環境探索スキャンを実行すること、およびトランスファーに先立って、第１の近隣リストの中の近隣を報告するのに要求されるステップを実行することをさらに含むことが可能である。このことは、潜在的な近隣を識別し、さらに近隣リスト上の近隣を報告すべきかどうかを判定するために、複数の測定を分析することを含むことが可能である。
【００５０】
第１のＲＡＴは、例えば、ロングタームエボリューション（ＬＴＥ）であることが可能であり、第２のＲＡＴは、例えば、１ｘであることが可能である。
【００５１】
態様には、トランスファー完了の後、第１のＲＡＴを介して測定された隣接セル情報に基づいて、第２のＲＡＴに測定レポートメッセージを送ることが含まれる。このことは、ソフトハンドオフステータスをもたらすことが可能であり、ハンドオフは、近隣情報の高速近隣スキャンに基づくｘ方向ソフトハンドオフを含む。
【００５２】
このため、トランスファーは、近隣情報に基づく環境スキャンに基づくｘ方向ソフトハンドオフを含むことが可能であり、ｘは、１以上の整数、例えば、１方向、２方向、３方向などである。このため、ＵＥは、第２のＲＡＴを介して近隣リストメッセージを受信することに先立って、近隣情報に基づいて環境探索を実行することができる。
【００５３】
図５を参照すると、一態様において、デバイス１１０、２１、３１０、７０２、および８０６のいずれも、コンピュータデバイス５００によって表されることが可能である。コンピュータデバイス５００は、本明細書で説明される構成要素および機能の１つまたは複数に関連する処理機能を実行するためのプロセッサ５０１を含む。プロセッサ５０１は、プロセッサまたはマルチコアプロセッサの単一のセット、または複数のセットを含み得る。さらに、プロセッサ５０１は、統合された処理システムとして、さらに／または分散された処理システムとして実施され得る。
【００５４】
コンピュータデバイス５００は、プロセッサ５０１によって実行されているアプリケーションのローカルバージョンを格納するなどのために、メモリ５０２をさらに含む。メモリ５０２は、ランダムアクセスメモリ（ＲＡＭ）、読み取り専用メモリ（ＲＯＭ）、テープ、磁気ディスク、光ディスク、揮発性メモリ、不揮発性メモリ、および以上の任意の組合せなどの、コンピュータによって使用可能な任意のタイプのメモリを含み得る。
【００５５】
さらに、コンピュータデバイス５００は、本明細書で説明されるハードウェア、ソフトウェア、およびサービスを利用して１つまたは複数の相手との通信を確立すること、および維持することを可能にする通信構成要素５０３を含む。通信構成要素５０３は、コンピュータデバイス５００上の構成要素間、ならびにコンピュータデバイス５００と、通信ネットワークにわたって配置されたデバイス、および／またはコンピュータデバイス５００にシリアルで、もしくはローカルで接続されたデバイスとの間で通信を実行することが可能である。例えば、通信構成要素５０３は、１つまたは複数のバスを含むことが可能であり、外部デバイスとインターフェースするために動作可能な、送信機および受信機にそれぞれ関連付けられた送信チェーン構成要素、および受信チェーン構成要素をさらに含むことが可能である。通信構成要素５０３は、複数のＲＡＴを介して、例えば、ＬＴＥおよび１ｘを介して通信することができる可能性がある。
【００５６】
さらに、コンピュータデバイス５００は、本明細書で説明される態様に関連して使用される情報、データベース、およびプログラムの大容量ストレージを提供する、ハードウェアおよび／またはソフトウェアの任意の適切な組合せであることが可能なデータストア５０４をさらに含むことが可能である。例えば、データストア５０４は、プロセッサ５０１によって現在、実行されていないアプリケーションのためのデータリポジトリであることが可能である。
【００５７】
コンピュータデバイス５００は、コンピュータデバイス５００のユーザから入力を受け取るように動作可能であり、ユーザに提示するための出力を生成するようにさらに動作可能であるユーザインターフェース構成要素５０５をさらに含むことが可能である。ユーザインターフェース構成要素５０５は、キーボード、数字パッド、マウス、タッチセンシティブディスプレイ、ナビゲーションキー、ファンクションキー、マイクロフォン、音声認識構成要素、ユーザから入力を受け取ることができる他の任意の機構、あるいは以上の任意の組合せを含むが、以上には限定されない、１つまたは複数の入力デバイスを含むことが可能である。さらに、ユーザインターフェース構成要素７０５は、ディスプレイ、スピーカ、触覚フィードバック機構、プリンタ、ユーザに出力を提示することができる他の任意の機構、あるいは以上の任意の組合せを含むが、以上には限定されない、１つまたは複数の出力デバイスを含むことが可能である。
【００５８】
コンピュータデバイス５００は、近隣リスト管理構成要素５０６をさらに含むことが可能である。前述したとおり、コンピュータデバイスは、複数のＲＡＴを介して通信することができる可能性がある。コンピュータデバイスが第１のＲＡＴを監視している間、コンピュータデバイスは、第２のＲＡＴを介して着信する呼の通知を受信することが可能である。第２のＲＡＴへのトランスファーに先立って、近隣リスト管理構成要素が、第２のＲＡＴに関する近隣情報を受信する。近隣リスト管理構成要素は、この近隣リスト情報を使用して、近隣情報に基づいて環境探索を実行し、識別された近隣を報告するのに要求されるステップを実行する。近隣情報は、ＳＩＢ８再選択パラメータとして、または第１のＲＡＴを介して第２のＲＡＴからトンネリングされる近隣リストとして受信されることが可能である。また、近隣情報は、第１のＲＡＴを介して行われた測定に基づく情報を含むことも可能である。第１のＲＡＴは、ＬＴＥであることが可能であり、第２のＲＡＴは、１ｘであることが可能である。トンネリングされた近隣情報は、ＵＨＤＭと一緒に送られることが可能である。
【００５９】
図６を参照すると、図示されているのは、ワイヤレス通信において第１のＲＡＴから第２のＲＡＴへのトランスファーに関する完了メッセージを送った後の、ＰＳＭＭなどの測定レポートメッセージを送るための時間を短縮するシステム６００である。例えば、システム６００は、コンピュータデバイス内、モバイルデバイス内などに少なくとも部分的に存在することが可能である。システム６００は、プロセッサ、ソフトウェア、またはプロセッサとソフトウェアの組合せ（例えば、ファームウェア）によって実施される機能を表す機能ブロックであることが可能な、機能ブロックを含むものとして表されていることを認識されたい。システム６００は、連携して動作することができる電気構成要素の論理グループ化６０２を含む。例えば、論理グループ化６０２は、第１のＲＡＴを監視するためのモジュール６０４を含み得る。第１のアクセスシステムは、例えば、ＬＴＥであることが可能である。
【００６０】
さらに、論理グループ化６０２は、第２のＲＡＴ上の通知を受信するためのモジュール６０６を備えることが可能である。第２の無線アクセス技術は、例えば、１ｘであることが可能である。通知は、例えば、第２のＲＡＴからＵＥに向けられた着信する呼、データメッセージ、または他のアプリケーションであることが可能である。
【００６１】
さらに、論理グループ化６０２は、通知に基づく第１の無線アクセス技術から第２のＲＡＴへのトランスファーに先立って、第１のＲＡＴを介して第２のＲＡＴに関する近隣情報を受信するためのモジュール６０８を備えることが可能である。
【００６２】
論理グループ化６０２は、第１のＲＡＴから第２のＲＡＴへのトランスファーを実行するためのモジュール６１０をさらに備えることが可能である。その後、呼、データ、または他のアプリケーションは、第２のＲＡＴを介して受信されることが可能である。
【００６３】
図７は、様々な装置を使用する重なり合うＬＴＥと１ｘのネットワークアーキテクチャ７００を示す図である。ＬＴＥネットワークアーキテクチャ８００は、発展型パケットシステム（ＥＰＳ）７００と呼ばれることが可能である。ＥＰＳ７００は、１つまたは複数のユーザ機器（ＵＥ）７０２と、Ｅ−ＵＴＲＡＮ７０４と、発展型パケットコア（ＥＰＣ）７１０と、ホーム加入者サーバ（ＨＳＳ）７２０と、事業者のＩＰサービス７２２とを含むことが可能である。ＥＰＳは、他のアクセスネットワークと互いに接続され得るが、簡明のため、それらのエンティティ／インターフェースは図示されない。
【００６４】
Ｅ−ＵＴＲＡＮは、ｅＮＢ７０６、およびその他のｅＮＢ７０８を含む。ｅＮＢ７０６は、ＵＥ７０２に向けてのユーザプレーンプロトコル終端および制御プレーンプロトコル終端を提供する。ｅＮＢ７０６は、Ｘ２インターフェース（すなわち、バックホール）を介してその他のｅＮＢ７０８に接続されることが可能である。ｅＮＢ７０６は、当業者によって、基地局、ベーストランシーバ基地局、無線基地局、無線トランシーバ、トランシーバ機能、基本サービスセット（ＢＳＳ）、または拡張サービスセット（ＥＳＳ）と呼ばれる、あるいは他の何らかの適切な用語で呼ばれることも可能である。ｅＮＢ７０６は、ＵＥ７０２にＥＰＣ７１０へのアクセスポイントを提供する。ＵＥ７０２の例には、セルラ電話機、スマートフォン、セッション開始プロトコル（ＳＩＰ）電話機、ラップトップ、携帯情報端末（ＰＤＡ）、衛星無線機、全地球測位システム、マルチメディアデバイス、ビデオデバイス、ディジタルオーディオプレーヤ（例えば、ＭＰ３プレーヤ）、カメラ、ゲームコンソール、または他の任意の同様に機能するデバイスが含まれる。ＵＥ７０２は、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末装置、モバイル端末装置、ワイヤレス端末装置、遠隔端末装置、ハンドセット、ユーザエージェント、モバイルクライアント、クライアントと呼ばれる、あるいは他の何らかの適切な用語で呼ばれることも可能である。
【００６５】
ｅＮＢ７０６は、Ｓ１インターフェースによってＥＰＣ７１０に接続される。ＥＰＣ７１０は、ＭＭＥ７１２、他のＭＭＥ７１４、サービングゲートウェイ７１６、およびパケットデータネットワーク（ＰＤＮ）ゲートウェイ７１８を含む。ＭＭＥ７１２は、ＵＥ７０２とＥＰＣ７１０の間のシグナリングを処理する制御ノードである。一般に、ＭＭＥ７１２は、ベアラおよび接続の管理を提供する。すべてのユーザＩＰパケットは、サービングゲートウェイ７１６を通して転送され、ゲートウェイ７１６自体は、ＰＤＮゲートウェイ７１８に接続される。ＰＤＮゲートウェイ７１８は、ＵＥ  ＩＰアドレス割当て、およびその他の機能を提供する。ＰＤＮゲートウェイ７１８は、事業者のＩＰサービス７２２に接続される。事業者のＩＰサービス７２２は、インターネット、イントラネット、ＩＰマルチメディアサブシステム（ＩＭＳ）、およびＰＳストリーミングサービス（ＰＳＳ）を含む。
【００６６】
１ｘネットワーク７２６は、１ｘＭＳＣ７２８および１ｘＢＳＣ７３０を含む。１ｘＭＳＣ７３０は、１ｘネットワーク７２６へのアクセスポイントをＵＥ７０２に提供する。ＩＷＳ７２４が、Ｅ−ＵＴＲＡＮ７０４と１ｘネットワーク７２６の間のリンクを提供する。
【００６７】
図８は、ＬＴＥネットワークアーキテクチャにおけるアクセスネットワークの例を示す図である。この例において、アクセスネットワーク８００は、いくつかのセルラ区域（セル）８０２に分割される。１つまたは複数の、より低い電力クラスのｅＮＢ８０８、８１２が、セル８０２の１つまたは複数と重なり合うセルラ区域８１０、８１４をそれぞれ有することが可能である。より低い電力クラスのｅＮＢ８０８、８１２は、フェムトセル（例えば、ホームｅＮＢ（ＨｅＮＢ））、ピコセル、またはマクロセルであることが可能である。より高い電力クラスのｅＮＢ、つまり、マクロｅＮＢ８０４が、セル８０２に割り当てられ、セル８０２内のすべてのＵＥ８０６にＥＰＣ８１０へのアクセスポイントを提供するように構成される。アクセスネットワーク８００の、この例において中央コントローラは全く存在しないが、代替の構成において中央コントローラが使用されてもよい。ｅＮＢ８０４は、無線ベアラ制御、受付け制御、移動性制御、スケジューリング、セキュリティ、およびサービングゲートウェイ７１６（図７を参照）への接続を含め、すべての無線関連の機能を担う。
【００６８】
アクセスネットワーク８００によって使用される変調および多元接続スキームは、展開されている特定の遠隔通信標準に依存して異なることが可能である。ＬＴＥアプリケーションにおいて、ＯＦＤＭがＤＬで使用され、ＳＣ−ＦＤＭＡがＵＬで使用されて、周波数分割複信（ＦＤＤ）および時分割複信（ＴＤＤ）をともにサポートする。以下の詳細な説明から当業者には容易に理解されるとおり、本明細書で提示される様々な概念は、ＬＴＥアプリケーションによく適している。しかし、これらの概念は、他の変調技術、および他の多元接続技術を使用する他の遠隔通信標準にも直ちに拡張されることが可能である。例として、これらの概念は、エボリューションデータオプティマイズド（ＥＶ−ＤＯ）またはウルトラモバイルブロードバンド（ＵＭＢ）に拡張されることが可能である。ＥＶ−ＤＯおよびＵＭＢは、ＣＤＭＡ２０００ファミリの標準の一部として第３世代パートナーシッププロジェクト２（３ＧＰＰ２）によって広められる無線インターフェース標準であり、ＣＤＭＡを使用して、移動局にブロードバンドインターネットアクセスを提供する。また、これらの概念は、広帯域ＣＤＭＡ（Ｗ−ＣＤＭＡ）、ならびにＴＤ−ＳＣＤＭＡなどのＣＤＭＡの他の変種を使用するユニバーサル地上無線アクセス（ＵＴＲＡ）、ＴＤＭＡを使用するグローバルシステムフォーモバイルコミュニケーションズ（ＧＳＭ（登録商標））、ならびに発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ならびにＯＦＤＭＡを使用するＦｌａｓｈ−ＯＦＤＭに拡張されることも可能である。ＵＴＲＡ、Ｅ−ＵＴＲＡ、ＵＭＴＳ、ＬＴＥ、およびＧＳＭは、３ＧＰＰ団体からの文書において説明されている。ＣＤＭＡ２０００およびＵＭＢは、３ＧＰＰ２団体からの文書において説明されている。実際のワイヤレス通信標準、および使用される多元接続技術は、特定のアプリケーション、ならびにシステムに課せられる全体的な設計上の制約に依存する。
【００６９】
ｅＮＢ８０４は、ＭＩＭＯ技術をサポートする複数のアンテナを有することが可能である。ＭＩＭＯ技術の使用は、ｅＮＢ８０４が空間領域を活用して、空間多重化、ビームフォーミング、および送信ダイバーシティをサポートすることを可能にする。
【００７０】
図９は、処理システム９１４を使用する装置９００に関するハードウェア実施形態の例を示す概念図である。この例において、処理システム９１４は、バス９０２によって一般的に表されるバスアーキテクチャを使用して実施されることが可能である。バス９０２は、処理システム９１４の特定のアプリケーション、および全体的な設計上の制約に依存して、任意の数の互いに接続するバスおよびブリッジを含むことが可能である。バス９０２は、プロセッサ９０４によって一般的に表される１つまたは複数のプロセッサを含む様々な回路と、コンピュータ可読媒体９０６によって一般的に表されるコンピュータ可読媒体を一緒に結び付ける。また、バス９０２は、当技術分野でよく知られており、したがって、さらには説明されない、タイミング源、周辺装置、電圧調整器、および電力管理回路などの、他の様々な回路を結び付けることも可能である。バスインターフェース９０８が、バス９０２とトランシーバ９１０の間のインターフェースを提供する。トランシーバ９１０は、伝送媒体を介して、他の様々な装置と通信するための手段を提供する。また、装置の性質に依存して、ユーザインターフェース９１２（例えば、キーパッド、ディスプレイ、スピーカ、マイクロフォン、ジョイスティック）が提供されることも可能である。
【００７１】
プロセッサ９０４は、バス９０２を管理すること、ならびにコンピュータ可読媒体９０６上に格納されたソフトウェアの実行を含め、一般的な処理を担う。ソフトウェアは、プロセッサ９０４によって実行されると、処理システム９１４に、任意の特定の装置に関する、後段で説明される様々な機能を実行させる。また、コンピュータ可読媒体９０６が、ソフトウェアを実行する際にプロセッサ９０４によって操作されるデータを格納するために使用されることも可能である。
【００７２】
図１０は、アクセスネットワークにおいてＵＥ１０５０と通信状態にあるｅＮＢ１０１０のブロック図である。ＤＬで、コアネットワークからの上位層パケットが、コントローラ／プロセッサ１０７５に供給される。コントローラ／プロセッサ１０７５が、Ｌ２層の機能を実施する。ＤＬで、コントローラ／プロセッサ１０７５が、ヘッダ圧縮、暗号化、パケットセグメント化およびパケット並べ替え、論理チャネルとトランスポートチャネルの間の多重化、ならびに様々な優先順位メトリックに基づくＵＥ１０５０への無線リソース割当てをもたらす。また、コントローラ／プロセッサ１０７５は、ＨＡＲＱ動作、失われたパケットの再送、およびＵＥ１０５０へのシグナリングも担う。
【００７３】
ＴＸプロセッサ１０１６は、Ｌ１層（すなわち、物理層）に関する様々な信号処理機能を実施する。信号処理機能は、ＵＥ１０５０における前方誤り訂正（ＦＥＣ）を円滑にする符号化およびインターリーブ、ならびに様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づく信号点配置へのマッピングを含む。符号化および変調されたシンボルは、次に、パラレルストリームに分割される。次に、各ストリームが、ＯＦＤＭサブキャリアにマッピングされ、時間領域および／または周波数領域において基準信号（例えば、パイロット）と多重化され、その後、逆高速フーリエ変換（ＩＦＦＴ）を使用して一緒に組み合わされて、時間領域ＯＦＤＭシンボルストリームを搬送する物理チャネルがもたらされる。ＯＦＤＭストリームは、複数の空間ストリームをもたらすように空間的にプリコーディングされる。チャネルエスティメータ１０７４からのチャネル推定が、符号化および変調スキームを決定するのに使用されるとともに、空間処理のためにも使用されることが可能である。このチャネル推定は、ＵＥ１０５０によって送信された基準信号および／またはチャネル状態フィードバックから導き出されることが可能である。次に、各空間ストリームが、別個の送信機１０１８ＴＸを介して異なるアンテナ１０２０に供給される。各送信機１０１８ＴＸは、送信のためのそれぞれの空間ストリームでＲＦ搬送波を変調する。
【００７４】
ＵＥ１０５０で、各受信機１０５４ＲＸが、その受信機１０５４ＲＸのそれぞれのアンテナ１０５２を介して信号を受信する。各受信機１０５４ＲＸは、ＲＦ搬送波上に変調された情報を回復し、その情報を受信機（ＲＸ）プロセッサ１０５６に供給する。
【００７５】
ＲＸプロセッサ１０５６が、Ｌ１層の様々な信号処理機能を実施する。ＲＸプロセッサ１０５６は、情報に対して空間処理を実行して、ＵＥ１０５０を宛先とするすべての空間ストリームを回復する。複数の空間ストリームがＵＥ１０５０を宛先としている場合、それらのストリームは、ＲＸプロセッサ１０５６によって組み合わされて、単一のＯＦＤＭシンボルストリームにされることが可能である。次に、ＲＸプロセッサ１０５６は、高速フーリエ変換（ＦＦＴ）を使用してＯＦＤＭシンボルストリームを時間領域から周波数領域に変換する。周波数領域信号は、ＯＦＤＭ信号の各サブキャリアに関して別個のＯＦＤＭシンボルストリームを備える。各サブキャリア上のシンボル、ならびに基準信号は、ｅＮＢ１０１０によって送信された可能性が最も高い信号点配置を特定することによって、回復され、復調される。これらのソフト判定は、チャネルエスティメータ１０５８によって計算されたチャネル推定に基づくことが可能である。次に、これらのソフト判定が、復号され、デインターリーブされて、物理チャネル上でｅＮＢ１０１０によって最初に送信されたデータ信号および制御信号が回復される。次に、これらのデータ信号および制御信号が、コントローラ／プロセッサ１０５９に供給される。
【００７６】
コントローラ／プロセッサ１０５９が、Ｌ２層を実施する。ＵＬで、コントローラ／プロセッサ１０５９が、トランスポートチャネルと論理チャネルの間の逆多重化、パケット再組立て、解読、ヘッダ伸張、制御信号処理をもたらして、コアネットワークからの上位層パケットを回復する。次に、これらの上位層パケットが、Ｌ２層より上位のすべてのプロトコル層を表す、データシンク１０６２に供給される。また、様々な制御信号が、Ｌ３処理のためにデータシンク１０６２に供給されることも可能である。また、コントローラ／プロセッサ１０５９は、ＨＡＲＱ動作をサポートするように肯定応答（ＡＣＫ）プロトコルおよび／または否定応答（ＮＡＣＫ）プロトコルを使用する誤り検出も担う。
【００７７】
ＵＬで、データソース１０６７が、上位層パケットをコントローラ／プロセッサ１０５９に供給するのに使用される。データソース１０６７は、Ｌ２層（Ｌ２）より上位のすべてのプロトコル層を表す。ｅＮＢ１０１０によるＤＬ伝送に関連して説明される機能と同様に、コントローラ／プロセッサ１０５９は、ヘッダ圧縮、暗号化、パケットセグメント化およびパケット並べ替え、ならびにｅＮＢ１０１０による無線リソース割当てに基づく論理チャネルとトランスポートチャネルの間の多重化をもたらすことによって、ユーザプレーンおよび制御プレーンに関してＬ２層を実施する。また、コントローラ／プロセッサ１０５９は、ＨＡＲＱ動作、失われたパケットの再送、およびｅＮＢ１０１０に対するシグナリングも担う。
【００７８】
ｅＮＢ１０１０によって送信された基準信号またはフィードバックからチャネルエスティメータ１０５８によって導き出されたチャネル推定が、ＴＸプロセッサ１０６８によって、適切な符号化スキームおよび変調スキームを選択するのに使用され、さらに空間処理を円滑にするのに使用されることが可能である。ＴＸプロセッサ１０６８によって生成された空間ストリームは、別々の送信機１０５４ＴＸを介して、異なるアンテナ１０５２に供給される。各送信機１０５４ＴＸは、送信のためのそれぞれの空間ストリームでＲＦ搬送波を変調する。
【００７９】
ＵＬ伝送は、ＵＥ１０５０における受信機機能に関連して説明したのと同様の方法でｅＮＢ１０１０において処理される。各受信機１０１８ＲＸが、その受信機１０１８ＲＸのそれぞれのアンテナ１０２０を介して信号を受信する。各受信機１０１８ＲＸは、ＲＦ搬送波上に変調された情報を回復し、その情報をＲＸプロセッサ１０７０に供給する。ＲＸプロセッサ１０７０は、Ｌ１層を実施する。
【００８０】
コントローラ／プロセッサ１０５９が、Ｌ２層を実施する。ＵＬで、コントローラ／プロセッサ１０５９が、トランスポートチャネルと論理チャネルの間の逆多重化、パケット再組立て、解読、ヘッダ伸張、制御信号処理をもたらして、ＵＥ１０５０からの上位層パケットを回復する。コントローラ／プロセッサ１０７５からの上位層パケットは、コアネットワークに供給されることが可能である。また、コントローラ／プロセッサ１０５９は、ＨＡＲＱ動作をサポートするようにＡＣＫプロトコルおよび／またはＮＡＣＫプロトコルを使用する誤り検出も担う。
【００８１】
図９に関連して説明される処理システム９１４は、ＵＥ１０５０内に含まれることが可能である。詳細には、処理システム９１４は、ＴＸプロセッサ１０６８と、ＲＸプロセッサ１０５６と、コントローラ／プロセッサ１０５９とを含むことが可能である。
【００８２】
前述したモジュールは、前述した機能を実行するように構成された処理システム９１４を含むことが可能である。前述したとおり、処理システム９１４は、ＴＸプロセッサ１０６８と、ＲＸプロセッサ１０５６と、コントローラ／プロセッサ１０５９とを含む。このため、一構成において、前述したモジュールは、ＴＸプロセッサ１０６８と、ＲＸプロセッサ１０５６と、前述した機能を実行するように構成されたコントローラ／プロセッサ１０５９とを含むことが可能である。
【００８３】
図１１は、デュアルモード１ｘ往復時間（１ｘＲＴＴ）Ｅ−ＵＴＲＡＮ端末装置に関する１ｘＲＴＴソリューションへの例示的なＣＳフォールバックの態様を示す。さらなる態様が、参照により内容全体が本明細書に組み込まれている３ＧＰＰ  ＴＳ２３．２７２において説明される。発展型パケットシステム（ＥＰＳ）における１ｘＲＴＴに関するＣＳフォールバックは、ＵＥがＥ−ＵＴＲＡＮによるサービスを受けている場合に、１ｘＣＳインフラストラクチャの再使用によってＣＳドメインサービス（例えば、ＣＳ音声、ＳＭＳ）のデリバリを可能にする。ＣＳフォールバック対応の端末装置は、Ｅ−ＵＴＲＡＮに接続されている間、１ｘＲＴＴアクセスを使用して、ＣＳドメインにおいて１つまたは複数のＣＳサービスを確立することができるように、１ｘＲＴＴ  ＣＳドメインにおいて登録することが可能である。この機能は、Ｅ−ＵＴＲＡＮカバレッジが１ｘＲＴＴカバレッジと重なり合う場合に、利用可能である。
【００８４】
１ｘＲＴＴへのＣＳフォールバックとＩＭＳベースのサービスは、同一事業者のネットワークにおいて共存することができる。最適化されたＨＯ、最適化されていないＨＯ、および最適化されたアイドルモード移動性のためのＨＲＰＤアクセスへのＰＳハンドオーバ手順を伴う１ｘＲＴＴへのＣＳフォールバックは、同一事業者のネットワークにおいて共存することができる。ＥＰＳ機能におけるＣＳフォールバックは、図１１に示されるとおり、ＭＭＥ１１０６と１ｘＣＳ  ＩＷＳ１１０８の間のＳ１０２  １７０４基準点を再使用することによって、ＵＥ１１０２に関して可能にされる。Ｓ１０２  １１０４が、３ＧＰＰ２  １ｘＣＳシグナリングメッセージを中継するためにＭＭＥと３ＧＰＰ２  １ｘＣＳ  ＩＷＳの間のトンネルを提供する。１ｘＣＳシグナリングメッセージは、３ＧＰＰ２  Ｃ．Ｓ００９７−０において規定されるとおり、ＧＣＳＮＡメッセージの中にカプセル化され、さらにＡ．Ｓ０００８−Ｃまたは３ＧＰＰ２  Ａ．Ｓ０００９−Ｃにおいて規定されるとおり、Ａ２１−１ｘ無線インターフェースシグナリングメッセージの中にさらにカプセル化される。１ｘＣＳシグナリングメッセージには、３ＧＰＰ２  Ｃ．Ｓ０００５−Ｅにおいて規定されるメッセージが含まれることが可能である。基準アーキテクチャは、ＴＳ２３．２１６において説明されるＥ−ＵＴＲＡＮから３ＧＰＰ２  １ｘＣＳに関するＳＲＶＣＣアーキテクチャと同様であることが可能であり、Ｓ１０２セッションが長寿命であるというさらなる態様を伴う。このことは、Ｓ１０１に関する事前登録と同様であることが可能である。Ｅ−ＵＴＲＡＮとＨＲＰＤアクセスの間のＰＳハンドオーバ手順に関する基準アーキテクチャは、ＴＳ２３．４０２において規定される。
【００８５】
１ｘＲＴＴへのＣＳフォールバックができるＵＥ１１０２は、Ｅ−ＵＴＲＡＮ／ＥＰＣ１１１０へのアクセス、ならびに１ｘＲＴＴ  １１１６を介する１ｘＣＳドメインへのアクセスをサポートする。ＵＥは、ＵＥがＥ−ＵＴＲＡＮアタッチメントを完了した後のＥＰＳを介する１ｘＲＴＴ  ＣＳ登録、移動性に起因する１ｘＲＴＴ  ＣＳ再登録、１ｘＲＴＴ  ＣＳドメイン音声サービスに関して規定されたＣＳフォールバック手順、Ｅ−ＵＴＲＡＮを介するモバイルによって発信されたＳＭＳ、およびモバイルに終端するＳＭＳのための手順、ＵＥ無線能力の一部としての同時１ｘＲＴＴおよびＨＰＲＤ能力通知、およびＵＥ無線能力の一部としての強化された、１ｘＲＴＴへのＣＳフォールバック能力の通知などのさらなる機能をさらに含むことが可能である。
【００８６】
１ｘＲＴＴへのＣＳフォールバックを可能にされたＭＭＥ１１０６は、例えば、ＴＲ３６．４１３において規定される、Ｓ１−ＭＭＥ  Ｓ１  ＣＤＭＡ２０００ ＴｕｎｎｅｌｉｎｇＭｅｓｓａｇｅの中にカプセル化されることが可能な、ＵＥへの／からのカプセル化された３ＧＰＰ２  １ｘＣＳシグナリングメッセージを送るため／受信するための、Ｓ１０２インターフェースを介する３ＧＰＰ２  １ｘＣＳ  ＩＷＳに向けてのトンネリングエンドポイントの役割をすることが可能である。ＭＭＥ１１０６は、ＣＳＦＢ手順に関する１ｘＣＳ−ＩＷＳ選択、ＭＭＥが再配置された場合にＳ１０２トンネルリダイレクトを扱うこと、およびアイドル状態にあるＵＥのためにＳ１０２を介して受信されたメッセージをバッファリングすることなどの、さらなる機能をサポートすることが可能である。
【００８７】
１ｘＲＴＴへのＣＳフォールバックを可能にされたＥ−ＵＴＲＡＮ１１１０は、ＵＥに１ｘＣＳ登録をトリガさせる制御情報を供給すること、ＵＥに１ｘＲＴＴ  ＣＳページング要求を転送すること、ＭＭＥとＵＥの間で１ｘＲＴＴ  ＣＳ関連のメッセージを転送すること、１ｘＣＳフォールバックに関連してＰＳハンドオーバ手順が実行されなかった場合、１ｘＲＴＴ  ＣＳへのＣＳフォールバックに関するページングに続いて、ＵＥがＥ−ＵＴＲＡＮカバレッジを離れた後に、Ｅ−ＵＴＲＡＮリソースを解放すること、ならびにネットワークおよびＵＥによってサポートされる場合に、ネットワーク構成に基づいて、強化された１ｘＣＳフォールバック手順と同時に、最適化された、または最適化されていないＰＳハンドオーバ手順を呼び出すことなどの、さらなる機能をサポートすることが可能である。
【００８８】
やはり図１１に示されるのが、１ｘＲＴＴ  ＣＳアクセス１１１６と１ｘＣＳ  ＩＷＳ１１０８の間で通信を提供する１ｘＲＴＴ  ＭＳＣ１１１４である。また、図１１は、Ｅ−ＵＴＲＡＮ１１１０とＭＭＥ１１０４の両方に接続されたサービング／ＰＤＮ  ＧＷ１１１２も示す。
【００８９】
１ｘＣＳＦＢが、ユーザ機器（ＵＥ）が発展型ＵＭＴＳ地上無線アクセスネットワーク（Ｅ−ＵＴＲＡＮ）上に滞留している間、１ｘ回線サービスをサポートする機構を提供する。強化された１ｘＣＦＳＢ（ｅ１ｘＣＳＦＢ）が、単一無線音声呼継続性（ＳＲＶＣＣ）のために開発されたトンネルを通したトラヒックチャネル割当て手順に基づいて設計される。１ｘ呼セットアップ時間を速くするために、ユニバーサルハンドオフ指示メッセージ（ＵＨＤＭ）が、１ｘトラヒックチャネル割当てのためにＵＥに送られるものと想定されることが可能である。また、拡張チャネル割当てメッセージ（ＥＣＡＭ）が使用されることも可能であるが、１ｘへのＵＥ遷移の後にサービスネゴシエーションを要する。
【００９０】
図１２は、例示的なＥＰＳ手順を使用する事前登録の例示的な態様を示す。最初、ＵＥ１２０２は、１２１２で示されるとおり、ＴＳ２３．４０１中で規定されるとおり、Ｅ−ＴＲＡＮ１２０４にアタッチし、したがって、ＭＭＥ１２０６にアタッチする。サポートされる場合、ＵＥ１２０２は、ＵＥ無線能力の一環として、１ｘＲＴＴへの拡張されたＣＳフォールバックの表示を含むことが可能であり、さらに同時の１ｘＲＴＴおよびＨＲＰＤ  ＰＳセッション取扱い能力も含むことが可能である。
【００９１】
無線層のトリガ（例えば、ＵＥが接続された状態にある場合のＥ−ＵＴＲＡＮからの通知、またはブロードキャストチャネルを介する通知）に基づいて、１２１４で、ＵＥは、１ｘＲＴＴ  ＣＳドメインに登録することを決定する。
【００９２】
ＵＥがアイドル状態にある場合、ＭＭＥとシグナリング接続を生じさせるために、１２１６で、ＵＥは、サービス要求手順を実行する。次に、１２１８ａ〜ｃで、ＵＥが、１ｘＲＴＴ  ＣＳ登録要求を生成する。このことは、１２１８ａで、ＵＥからＥ−ＵＴＲＡＮに１ｘＲＴＴ  ＣＳメッセージが転送されること、１２１８ｂで、Ｅ−ＵＴＲＡＮが、ＣＤＭＡ２０００参照セルＩＤを含む１ｘＲＴＴ  ＣＳメッセージをＭＭＥに転送すること、および１２１８ｃで、ＭＭＥが、ＣＤＭＡ２０００参照セルＩＤに基づいて、１ｘＣＳ  ＩＷＳノードを選択することを含む。ＩＭＳＩが、異なるＵＥに属するＳ１０２シグナリングトランザクションを区別するのに使用される。ＭＭＥが、１ｘＣＳ  ＩＷＳノード１２０８にＳ１０２直接転送メッセージ（ＩＭＳＩ、ＩｘＣＳメッセージ）を送る。
【００９３】
１２２０で、１ｘＲＴＴ  ＣＳ登録が、３ＧＰＰ２  Ａ．Ｓ００１３−Ｄにおいて規定される登録手順に基づいて、１ｘＣＳ  ＩＷＳノードによって実行される。１ｘＣＳ  ＩＷＳと１ｘＲＴＴ  ＭＳＣ１２１０の間でロケーション更新が送られる。
【００９４】
次に、１２２２ａ〜ｃで、１ｘＲＴＴ  ＣＳ登録応答が、１ｘＣＳ  ＩＷＳとＵＥの間で送られる。１２２２ａで、１ｘＲＴＴ  ＣＳ登録応答が、Ｓ１０２直接転送メッセージ（ＩＭＳＩ、１ｘＣＳメッセージ）の中でＭＭＥにトンネリングされて戻される。１２２２ｂで、ＭＭＥが、１ｘＲＴＴ  ＣＳメッセージをＵＥに転送する。１２２２ｃで、Ｅ−ＵＴＲＡＮが、２ｘＲＴＴ  ＣＳメッセージをＵＥに転送する。１ｘＣＳ登録のためのトリガが時とともに変化した場合、アイドル状態であれ、接続された状態であれ、ＵＥは、この情報を使用して、トンネルを介して１ｘＣＳ登録を更新することが可能である。
【００９５】
開示されるプロセスにおけるステップの特定の順序または階層は、例示的なアプローチの例示であるものと理解される。設計上の選好に基づき、これらのプロセスにおけるステップの特定の順序または階層は、再構成されてもよいものと理解される。添付の方法は、サンプル順序で様々なステップの要素を提示し、提示される特定の順序または階層に限定されることは意図されない。
【００９６】
本出願において使用される「構成要素」、「モジュール」、「システム」などの用語は、ハードウェア、ファームウェア、ハードウェアとソフトウェアの組合せ、ソフトウェア、または実行中のソフトウェアなどの、ただし、以上には限定されない、コンピュータ関連のエンティティを含むことを意図している。例えば、構成要素は、プロセッサ上で実行されているプロセス、プロセッサ、オブジェクト、実行可能ファイル、実行のスレッド、プログラム、および／またはコンピュータであることが可能であるが、以上には限定されない。例として、コンピューティングデバイス上で実行されているアプリケーションと、そのコンピューティングデバイスがともに構成要素であり得る。１つまたは複数の構成要素が、プロセス内および／または実行のスレッド内に存在することが可能であり、さらに構成要素は、１つのコンピュータ上に局在化されること、および／または２つ以上のコンピュータの間に分散されることが可能である。さらに、構成要素は、様々なデータ構造が格納された様々なコンピュータ可読媒体から実行されることが可能である。これらの構成要素は、１つの構成要素からのデータが、信号によって、ローカルシステムまたは分散システムにおける別の構成要素と対話する、さらに／またはインターネットなどのネットワークを介して他のシステムと対話するなど、１つまたは複数のデータパケットを有する信号によるなどして、ローカルプロセスおよび／または遠隔プロセスによって通信することが可能である。
【００９７】
さらに、様々な態様が、有線端末装置またはワイヤレス端末装置であることが可能な端末装置に関連して本明細書で説明される。端末装置は、システム、デバイス、加入者ユニット、加入者局、移動局、モバイル、モバイルデバイス、遠隔局、遠隔端末装置、アクセス端末装置、ユーザ端末装置、端末装置、通信デバイス、ユーザエージェント、ユーザデバイス、またはユーザ機器（ＵＥ）と呼ばれることも可能である。ワイヤレス端末装置は、セルラ電話機、衛星電話機、コードレス電話機、セッション開始プロトコル（ＳＩＰ）電話機、ワイヤレスローカルループ（ＷＬＬ）局、携帯情報端末（ＰＤＡ）、ワイヤレス接続能力を有するハンドヘルドデバイス、コンピューティングデバイス、またはワイヤレスモデムに接続された他の処理デバイスであることが可能である。さらに、様々な態様が、基地局に関連して本明細書で説明される。基地局が、ワイヤレス端末装置と通信するために利用されることが可能であり、アクセスポイントまたはノードＢと呼ばれること、あるいは他の何らかの用語で呼ばれることも可能である。
【００９８】
さらに、「または」という用語は、排他的な「または」ではなく、包含的な「または」を意味することを意図している。つまり、特に明記しない限り、または文脈から明確でない限り、「Ｘは、ＡまたはＢを使用する」という句は、自然な包含的な置換のいずれも意味することを意図している。つまり、「Ｘは、ＡまたはＢを使用する」という句は、以下の事例、すなわち、ＸがＡを使用する事例、ＸがＢを使用する事例、またはＸがＡとＢの両方を使用する事例のいずれによっても満たされる。さらに、本出願、および添付の特許請求の範囲において使用される「ａ」および「ａｎ」という冠詞は、特に明記しない限り、または単数形に向けられるべきことが文脈から明確でない限り、「１つまたは複数の」を意味するように一般的に解釈されるべきである。
【００９９】
本明細書で説明される技術は、ＣＤＭＡシステム、ＴＤＭＡシステム、ＦＤＭＡシステム、ＯＦＤＭＡシステム、ＳＣ−ＦＤＭＡシステム、およびその他のシステムなどの様々なワイヤレス通信システムのために使用されることが可能である。「システム」という用語と「ネットワーク」という用語は、しばしば、互換可能に使用される。ＣＤＭＡシステムは、ユニバーサル地上無線アクセス（ＵＴＲＡ）、ｃｄｍａ２０００などの無線技術を実施することが可能である。ＵＴＲＡには、広帯域ＣＤＭＡ（Ｗ−ＣＤＭＡ）、およびＣＤＭＡの他の変種が含まれる。さらに、ｃｄｍａ２０００は、ＩＳ−２０００標準、ＩＳ−９５標準、およびＩＳ−８５６標準をさらに範囲に含む。ＴＤＭＡシステムは、グローバルシステムフォーモバイルコミュニケーションズ（ＧＳＭ）などの無線技術を実施することが可能である。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実施することが可能である。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンクでＯＦＤＭＡを使用し、アップリンクでＳＣ−ＦＤＭＡを使用する、Ｅ−ＵＴＲＡを使用するＵＭＴＳのリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）という名称の団体からの文書において説明される。さらに、ｃｄｍａ２０００およびＵＭＢは、「第３世代パートナーシッププロジェクト２」（３ＧＰＰ２）という名称の団体からの文書において説明される。さらに、そのようなワイヤレス通信システムは、ペアになっていない無許可のスペクトル、８０２．ｘｘワイヤレスＬＡＮ、ＢＬＵＥＴＯＯＴＨ（登録商標）、および他の任意の短距離、または長距離のワイヤレス通信技術を、しばしば、使用するピアツーピア（例えば、モバイルツーモバイル）アドホックネットワークをさらに含むことが可能である。
【０１００】
以上の説明は、任意の当業者が、本明細書で説明される様々な態様を実施することを可能にするように与えられる。これらの態様の様々な変形が、当業者には直ちに明白となり、本明細書で定義される一般的な原理は、他の態様に適用されることも可能である。このため、特許請求の範囲は、本明細書で示される態様に限定されることは意図されず、請求項の文言と合致する完全な範囲を与えられるべきであり、要素が単数形で記載されることは、そうであることが明記されない限り、「１つだけ」を意味することは意図しておらず、「１つまたは複数」を意味することを意図している。特に明記しない限り、「いくつかの」という用語は、１つまたは複数を指す。当業者に知られている、または後に知られるようになる、本開示全体にわたって説明される様々な態様の要素と構造上、または機能上、均等であるすべての要素は、参照により本明細書に明確に組み込まれており、特許請求の範囲によって包含されることが意図される。さらに、ここに開示される内容はいずれも、そのような開示が特許請求の範囲に明示的に記載されているかどうかにかかわらず、公共にささげられることは意図していない。クレーム要素は、その要素が、「〜のための手段」という句を使用して明確に記載されない限り、あるいは、方法クレームの場合、その要素が、「〜のためのステップ」という句を使用して記載されない限り、米国特許法第１１２条６項の規定の下で解釈されるべきではない。
【０１０１】
様々な態様および特徴が、いくつかのデバイス、構成要素、モジュールなどを含むことが可能なシステムに関連して提示される。それらの様々なシステムは、さらなるデバイス、構成要素、モジュールなどを含んでもよいこと、および／または図に関連して説明されるデバイス、構成要素、モジュールなどのすべては含まなくてもよいことを理解し、認識されたい。また、これらのアプローチの組合せが使用されることも可能である。
【０１０２】
本明細書で開示される実施形態に関連して説明される様々な例示的なロジック、論理ブロック、モジュール、および回路は、汎用プロセッサ、ディジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートのゲートロジックまたはトランジスタロジック、ディスクリートのハードウェア構成要素、あるいは本明細書で説明される機能を実行するように設計された、以上の任意の組合せを使用して実施される、または実行されることが可能である。汎用プロセッサは、マイクロプロセッサであることが可能であるが、代替として、プロセッサは、任意の従来のプロセッサ、コントローラ、マイクロコントローラ、または状態マシンであってもよい。また、プロセッサは、コンピューティングデバイスの組合せとして、例えば、ＤＳＰとマイクロプロセッサの組合せとして、複数のマイクロプロセッサとして、ＤＳＰコアと連携する１つまたは複数のマイクロプロセッサとして、あるいは他の任意のそのような構成として実施されることも可能である。さらに、少なくとも１つのプロセッサは、前述したステップおよび／またはアクションの１つまたは複数を実行するように動作可能な１つまたは複数のモジュールを備えることが可能である。
【０１０３】
さらに、本明細書で開示される態様に関連して説明される方法またはアルゴリズムのステップおよび／またはアクションは、ハードウェアで直接に、プロセッサによって実行されるソフトウェアモジュールで、あるいはハードウェアとそのようなソフトウェアモジュールの組合せで実現されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、またはＣＤ−ＲＯＭの中に、あるいは当技術分野で知られている他の任意の形態の記憶媒体の中に存在することが可能である。例示的な記憶媒体は、プロセッサが、その記憶媒体から情報を読み取ること、およびその記憶媒体に情報を書き込むことができるように、プロセッサに結合されることが可能である。代替として、この記憶媒体は、プロセッサと一体化していてもよい。さらに、一部の態様において、このプロセッサと、この記憶媒体は、ＡＳＩＣ内に存在することが可能である。さらに、ＡＳＩＣは、ユーザ端末装置内に存在することが可能である。代替として、このプロセッサと、この記憶媒体は、ユーザ端末装置内のディスクリートの構成要素として存在してもよい。さらに、一部の態様において、方法またはアルゴリズムのステップおよび／またはアクションは、一時的ではないことが可能であり、さらにコンピュータプログラム製品に組み込まれることが可能な、マシン可読媒体および／またはコンピュータ可読媒体の上のコードおよび／または命令のいずれか、または任意の組合せもしくはセットとして存在することが可能である。
【０１０４】
１つまたは複数の態様において、説明される機能は、ハードウェア、ソフトウェア、またはファームウェアで、あるいは以上の任意の組合せで実施されることが可能である。ソフトウェアで実施される場合、それらの機能は、コンピュータ可読媒体上の１つまたは複数の命令またはコードとして格納される、または送信されることが可能である。コンピュータ可読媒体には、１つの場所から別の場所にコンピュータプログラムを転送することを円滑にする任意の媒体を含め、コンピュータ記憶媒体と通信媒体の両方が含まれる。記憶媒体は、コンピュータによってアクセスされ得る任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で所望されるプログラムコードを伝送する、または格納するのに使用されることが可能であり、さらにコンピュータによってアクセスされることが可能である他の任意の媒体を備えることが可能である。また、任意の接続が、コンピュータ可読媒体と呼ばれることも可能である。例えば、ソフトウェアが、同軸ケーブル、光ファイバケーブル、より対線、ディジタル加入者線（ＤＳＬ）、あるいは赤外線、無線、およびマイクロ波などのワイヤレス技術を使用してウェブサイト、サーバ、または他の遠隔ソースから送信される場合、その同軸ケーブル、光ファイバケーブル、より対線、ＤＳＬ、あるいは赤外線、無線、およびマイクロ波などのワイヤレス技術が、媒体の定義に含められる。本明細書で使用されるディスク（ｄｉｓｋ）およびディスク（ｄｉｓｃ）には、コンパクトディスク（ＣＤ）、レーザディスク、光ディスク、ディジタルバーサタイルディスク（ＤＶＤ）、フロッピーディスク、およびブルーレイディスクが含まれ、ただし、ディスク（ｄｉｓｋ）は、通常、データを磁気的に再現するのに対して、ディスク（ｄｉｓｃ）は、レーザを使用してデータを光学的に再現する。また、以上の媒体の組合せも、コンピュータ可読媒体の範囲内に含められなければならない。
【０１０５】
以上の開示は、例示的な態様および／または実施形態を説明するが、添付の特許請求の範囲によって規定される、説明される態様および／または実施形態の範囲を逸脱することなく、そのような態様および／または実施形態に様々な変更および変形が行われることも可能であることに留意されたい。さらに、説明される態様および／または実施形態の要素は、単数形で説明される、または主張されることが可能であるものの、単数形に限定されることが明記されない限り、複数形も企図される。さらに、特に明記しない限り、任意の態様および／または実施形態のすべて、または一部分が、他の任意の態様および／または実施形態のすべて、または一部分と一緒に利用されることが可能である。
【図１】
0005551246.tif 000002
【図２】
0005551246.tif 000003
【図３】
0005551246.tif 000004
【図４】
0005551246.tif 000005
【図５】
0005551246.tif 000006
【図６】
0005551246.tif 000007
【図７】
0005551246.tif 000008
【図８】
0005551246.tif 000009
【図９】
0005551246.tif 000010
【図１０】
0005551246.tif 000011
【図１１】
0005551246.tif 000012
【図１２】
0005551246.tif 000013